(57)【特許請求の範囲】
【請求項１】
収納先に挿入される回路基板に取付けられるコネクタであって、
前記回路基板の所定配線に接続される電気端子を収容するための収容部と、該収容部と連接した基部とを有するコネクタ本体と、
一対の対向面内に形成され、前記収容部を挿通可能な開口部を有するパネルと、
回動によって挿入先から前記回路基板を取外すためのイジェクタと、
前記回路基板と前記コネクタ本体の基部とを固定するように、前記イジェクタを回動させる回動軸部と接続される接続部材と、
を有して構成されるコネクタ。
【請求項２】
前記接続部材は、前記パネルと一体的に導電性部材で成形されることを特徴とする請求項１に記載のコネクタ。
【請求項３】
前記コネクタ本体の収容部の少なくとも一部を覆う枠体をさらに備え、前記枠体、前記パネル及び前記接続部材は、前記回動軸部を通じて前記回路基板の少なくとも１つの配線に電気的に接続されることを特徴とする請求項１または２に記載のコネクタ。
【請求項４】
前記接続部材は、前記コネクタ本体の基部と一体的に成形されていることを特徴とする請求項１に記載のコネクタ。
【請求項５】
前記接続部材は、前記枠体との接続部をさらに有することを特徴とする請求項３または４に記載のコネクタ。
【発明の詳細な説明】
【技術分野】
【０００１】
本発明は、ユニット配線ラック等に挿入される形式の電気回路基板に接続されるコネクタであって、ユニット配線ラックの挿入口を封止するためのパネル側に取り付けられるコネクタに関するものである。
【背景技術】
【０００２】
近年、コンピュータシステムで使用されるユニット配線ラックでは、回路基板は、パネルを蓋にしてユニット内に挿入実装される。その際、電気信号の入出力は前記パネル側に搭載されて配線基板に接続されたコネクタを介して行われることがある（フロントパネル方式）。
【０００３】
図１３は、回路基板にパネルとコネクタとが実装された複数のパネル回路基板をユニット配線ラック内に挿入した状態を示す。図１３に示すように、ユニット配線ラックの収納スペースが十分大きい場合は、大型の回路基板を用いることができる。その場合、従来の回路基板は大型で縁部がパネルの長手方向に十分な長さを有するため、イジェクタと基板との接続部と、コネクタと基板との接続部とを別個に離間するように配置して組み立てることができた。
【０００４】
しかし、産業界からは装置の小型化が要望されており、それに伴うユニット配線ラックの小型化によってパネル回路基板も小型化する必要がでてきた。その場合、ユニット配線ラック及び回路基板は規格化されており、従来のコネクタの端子の径及び端子間の間隔をそのまま使用すると、コネクタを搭載する回路基板の縁部のスペースが非常に制限され、電気端子数を減少させることが余儀なくされてしまう。そのため、その限られた回路基板の縁部のスペース内に、より多くの電気端子数を確保することが望まれる。
【０００５】
図１４は、従来技術を用いて図１３に示されたものと同じ型式のコネクタを小型回路基板に取付ける方法を示した、パネル回路基板の組立分解斜視図である。
図１４に示されたパネル回路基板５１は、回路基板５５の所定配線に接続される電気端子５２を収容した収容部５１３と、その収容部５１３から延びて回路基板５５に接続される基部５１４とを有するコネクタ本体５３を備える。また、パネル回路基板５１は、前記収容部５１３を挿通させる開口部５８を有するパネル５７と、収容部５１３を挿通させる開口部５８’を有してその収容部５１３を覆う枠体５１８とが別部材として所定の各ネジによってコネクタ本体５３と、イジェクタ５６を取付ける略直方体のブロック５１１とに取付けられるように構成されている。
【０００６】
回路基板５５とコネクタ本体５３との固定は、回路基板５５に設けられた一対の貫通孔（図示せず）と基部５１４に設けられた一対の貫通孔５２６（図１１参照）に、一対のネジ５２０（図１４には１つのネジのみ図示）が挿通され、ナット等により締結されることによって行われる。
また、イジェクタ５６と回路基板５５との固定は、イジェクタ５６のカム部５２９が、フロントパネル５７の貫通する開口部５９に挿通され、カム部５２９の回動軸孔５２３が、略直方体のブロック５１１の貫通孔５２４と回路基板５５の貫通孔（図示せず）とともに連通孔を形成するように位置合わせされ、ネジ５２１がその連通孔に挿入されてナット等により締結されることにより行われる。ただし、略直方体のブロック５１１とナットとの間には図示されていないスペーサとなる円筒スリーブが配置され、その内部をネジ５２１が挿通されているので、イジェクタ５６は回動可能となっている。
【０００７】
以上のように、従来のパネル回路基板５１は、回路基板５５とコネクタ本体５３とを固定する固定部と、イジェクタ５６と回路基板５５とを固定する固定部との、２つの固定部を隣接して設ける構造であるため、コネクタを搭載する回路基板の縁部スペースの利用が非効率的で、多数の部品を使用した複雑な実装構造となっている。
【０００８】
また、産業界では、従来の電気端子の径や間隔を維持しながら、回路基板の、限られた縁部スペース内で可能な限り電気端子数を確保させる要望も出ている。
【先行技術文献】
【特許文献】
【０００９】
【特許文献１】特開２００６−１１４３５７号公報
【発明の概要】
【発明が解決しようとする課題】
【００１０】
本願発明は、上記課題を鑑みて達成されたもので、回路基板及びコネクタ本体を固定するように、イジェクタの回動軸部材をイジェクタ及び回路基板に貫通させて接続部材と接続することによって制限されたスペース内で有効に組み立て可能な新規的なコネクタを提供することを目的とする。
【課題を解決するための手段】
【００１１】
（１）上述の課題を解決するために、本願発明は、収納先に挿入される回路基板に取付けられるコネクタであって、前記回路基板の所定配線に接続される電気端子を収容するための収容部と、該収容部と連接した基部とを有するコネクタ本体と、一対の対向面内に形成され、前記収容部を挿通可能な開口部を有するパネルと、回動によって挿入先から前記回路基板を取外すためのイジェクタと、前記回路基板と前記コネクタ本体の基部とを固定するように、前記イジェクタを回動させる回動軸部と接続される接続部材と、を有して構成されるコネクタを提供する。
【００１２】
（２）また、本発明に係るコネクタの接続部材は、前記パネルと一体的に導電性部材で成形されることが好ましい。
【００１３】
（３）また、本発明に係るコネクタは、前記コネクタ本体の収容部の少なくとも一部を覆う枠体をさらに備え、前記枠体、前記パネル及び前記接続部材は、前記回動軸部を通じて前記回路基板の少なくとも１つの配線に電気的に接続されることが好ましい。
【００１４】
（４）また、本発明に係るコネクタの接続部材が、前記コネクタ本体の基部と一体的に成形されていることが好ましい。
【００１５】
（５）さらに、本発明に係るコネクタの接続部材は、前記枠体との接続部をさらに有することが好ましい。  
【発明の効果】
【００１６】
（１）本発明に係るコネクタは、前記回路基板と前記コネクタ本体の基部とを固定するように、前記イジェクタを回動させる回動軸部と接続される接続部材を備えているので、コネクタ本体部の基部とイジェクタとを一体的に組立てるように構成し、従来のコネクタにおけるイジェクタと回路基板との取付スペースを省略化することができる結果、コネクタの電気端子数を確保することができ、複雑な回路構成にも適応できる効果を奏する。
【００１７】
（２）本発明に係るコネクタは、接続部材が前記パネルと一体的に導電性部材で成形されるので、部品点数を削減してコネクタの組立構成を容易化できる効果に加えて、例えば、ユニット配線ラックのフレームアースが、パネル及び接続部材、導電性のイジェクタの回動軸部を介して回路基板のアース配線と接続できる結果、コネクタの電気端子に対するシールド効果を発揮させる効果を奏する。
【００１８】
（３）本発明に係るコネクタは、前記枠体、前記パネル及び前記接続部材が、前記回動軸部を通じて前記回路基板の少なくとも１つの配線に接続されるので、例えば、アース線と接続された相手方コネクタの導電性枠体が、回路基板のアース線と接続された本発明に係るコネクタの枠体と電気的に接触させることができる結果、電気的に安定したコネクタを提供することができる効果を奏する。
【００１９】
（４）本発明に係るコネクタは、接続部材が、前記コネクタ本体の基部と一体的に成形されているので、接続部材を削減できることから、部品点数を削減してコネクタの組立構成を容易化できる効果を奏する。
【００２０】
（５）本発明に係るコネクタは、接続部材が前記枠体との接続部をさらに有するので、１つの接続部材で異なる方向からネジやボルト等の接続部品と接続できる結果、本発明の目的に合致する組立容易な小型化コネクタを提供できる効果を奏する。  
【図面の簡単な説明】
【００２１】
【図１】本発明によるパネル回路基板の組立分解斜視図。
【図２】（ａ）本発明によるパネル回路基板の組立正面図。（ｂ）本発明によるパネル回路基板の組立平面図。
【図３】本発明によるパネル回路基板の実施例１及び実施例２を示す、図１のパネル回路基板１のイジェクタ側からの側面図。
【図４】本発明による実施例３を示す、図１のパネル回路基板１のイジェクタ側からの側面図。
【図５】本発明による実施例４を示す、図１のパネル回路基板１のイジェクタ側からの側面図。
【図６】本発明による実施例５を示す、図１のパネル回路基板１のイジェクタ側からの側面図。
【図７】図３におけるネジ１１及びネジ２４の螺合挿入された詳細な状態を示す拡大側面図。
【図８】図４の斜線部２８に接続されるネジ１１及びネジ２４の螺合挿入された詳細な状態を示す拡大側面図。
【図９】図５の斜線部２７に接続されるネジ２４の螺合挿入された詳細な状態を示す拡大側面図。
【図１０】図６の斜線部２９に接続されるネジ１１及びネジ２４の螺合挿入された詳細な状態を示す拡大側面図。
【図１１】従来のパネル回路基板の部分拡大平面図。
【図１２】本発明によるパネル基板の部分拡大平面図。
【図１３】回路基板にパネルとコネクタとが実装されたパネル回路基板をユニット配線ラック内に挿入した状態図。
【図１４】従来技術を用いて図1に示されたものと同じ型式のコネクタを小型回路基板に取付ける方法を示したパネル回路基板の組立分解斜視図。
【発明を実施するための形態】
【００２２】
本発明の好ましい実施形態について実施例を挙げ、図面を参照して説明する。なお、各図において同じ要素には同じ符号を用い、適宜その説明を省略する場合がある。以下、回路基板の縁部にコネクタとラック配線ユニット用のパネルとが実装されたものをパネル回路基板と称する。
【実施例１】
【００２３】
図１は、収納先となるユニット配線ラック等に挿入される、本発明のパネル回路基板１の組立分解斜視図である。
図２（ａ）は、図１に示すパネル回路基板１の組立が完了した正面図を、図２（ｂ）は平面図を示す。
図３は、実施例１及び実施例２に対応し、図１のパネル回路基板１のイジェクタ側からの側面図で、枠体４、パネル７、略直方体のブロック８、及び、コネクタ本体３の基部１４の各々の接続構成を示している。
図７は、図３における略直方体のブロック８に接続されるネジ１１及びネジ２４の螺合挿入された詳細な状態を示す拡大側面図である。
【００２４】
ユニット配線ラックは、コンピュータ機器や通信機器等を収容する用途に用いられ、図１３に示すように、回路の配線スペースを効率化するために複数の基板を同時に挿入実装することができる。
パネル回路基板１は、回路基板５と、回路基板５の回路配線（図示されていない）に接続された電気端子２を収容するコネクタ本体３と、ユニット配線ラックの挿入口を封鎖するためのパネル７と、パネル７に取付けられた導電性の枠体４と、回動することによってパネル回路基板１をユニット配線ラックから取り出すことができるイジェクタ６と、略直方体のブロック８とを具備している。
【００２５】
コネクタ本体３は、電気端子２を収容した収容部１３と、コネクタ本体３に連接した基部１４とを有して、例えば、熱可塑性を有する樹脂等で一体的な成形により形成されている。基部１４は、後述するように、ネジ１１によって枠体４及びパネル７とともに貫通する貫通孔３５と、ネジ２４によって回路基板５とともに貫通する貫通孔２５（図３参照）との２つの貫通孔を有する。
【００２６】
枠体４は、収容部１３の少なくとも一部を覆うように形成され、その対向面から収容部１３の方向に突出した４つの突起１２が形成されており、これらの突起１２は、相手方コネクタに設けられたレバーの回動によってコネクタを嵌合方向に移動させる機能を有する。また、枠体４には、前記４つの突起１２が設けられた面から前記突起１２の突出方向に隆起した隆起部３７が形成されている。
また、枠体４は、ネジ１１によってパネル７及びコネクタ本体３の基部１４とともに貫通されるタブ３２を備える。さらに、枠体４は、コネクタ本体３の収容部１３を挿通可能な開口部１７を有しており、パネル回路基板１の組立の際に、収容部１３は開口部１７から挿入されて、枠体４の枠内にて収容部１３の少なくとも一部が覆われる。
さらに、枠体４は、その開口部１７の縁部から突出した爪部１５を有しており、その爪部１５が、コネクタ本体５３の収容部５１３と枠体４との間の隙間に挿入されるようにパネルの開口部の縁部近傍で圧入固定されることにより、パネル回路基板１の組立前に予め枠体４とパネル７とを固定できる。
【００２７】
パネル７は、導電性の板状部材で構成されており、コネクタ本体３の収容部１３を挿通できるように厚み方向に挿通可能で枠体４の開口部１７と同形輪郭の開口部を有する。
【００２８】
イジェクタ６は、回動つまみ部２０と、回動軸となるネジ２４が貫通可能な円筒スリーブ４０を挿通させるための回動軸孔１６を有するカム部１８とから構成される。カム部１８はパネル７の開口部１９を挿通されて、回路基板５の一端縁部近傍において、コネクタ本体３の基部１４の厚みが薄く形成された部分と回路基板５との間の空隙部２１に挿入される。回動軸孔１６には、２つの開口部を有して貫通した円筒スリーブ４０が挿通される。その円筒スリーブ４０は、その両端部が回動軸孔１６から突出しているので、前記空隙部２１内でカム部１８が回動軸方向に動くためのスペーサとして機能する（詳細は図７参照）。また、後述するように、ネジ２４が円筒スリーブ４０内に挿通されると、イジェクタ６は、ネジ２４を回動軸として回動可能となり、所定の角度まで回動させると、カム部１８に形成された突起２２がユニット配線ラックの縁部等（図示しない）に当接し、さらに回動させるとパネル回路基板１がユニット配線ラックから抜出される。
【００２９】
略直方体のブロック８は、ネジ１１、ネジ２４、または、それら両方と接続する機能を有する接続部材であり、本発明は当該機能を有する接続部材のすべてを包含する。例えば、接続部材を多面体ブロックとしたり、平面板の厚さ方向に形成された貫通孔内でネジ切って孔内でネジ１１またはネジ２４と螺合接続したり、平面板の厚さ方向に貫通する貫通孔にネジ１１または２４を挿通させてナットで締結したりするように変更することも可能である。また、板をＬ字状に形成してネジ１１及びネジ２４を同時に接続する形態に変更することも可能である。さらには、接続部材として、略直方体ブロック８を設けずに、ネジ１１やネジ２４をコネクタ本体３の基部１４と直接接続する形態に変更することも可能である。
ネジ１１は、枠体４のタブ３２に形成された貫通孔３３、パネル７に形成された貫通孔３４、及び、コネクタ本体３の基部１４に形成された貫通孔３５を挿通し、略直方体のブロック８の面３０内に形成されたネジ切り孔３１内に螺合挿入されて、枠体４、パネル７、及びコネクタ本体３の基部１４を固定する。
ネジ２４は、上述の通り、回路基板５及びコネクタ本体３の基部１４を挿通し、略直方体のブロック８の面３６内に形成されたネジ切り孔３９内に螺合挿入されて、回路基板５及びコネクタ本体３の基部１４を固定する。
よって、略直方体のブロック８は、ネジ２４とネジ１１によって２箇所で所定の構成部品を固定する機能を有する。
なお、ネジ２４’は、イジェクタ６の取付け側と反対の回路基板５の端縁部近傍において、コネクタ本体３の基部１４と回路基板５とにそれぞれ設けられた孔を貫通してナット等によって螺合接続される。
【００３０】
本発明のパネル回路基板１を組立てると、略直方体のブロック８は、回路基板５の一端縁部近傍であってコネクタ本体３の基部１４の前記厚みが薄く形成された部分上に配置される。略直方体のブロック８の、コネクタ本体３の基部１４と接する面３６（図３及び図７参照）には、略直方体のブロック８の内部方向に穿孔されて、回動軸部を形成するネジ２４と螺合するようにネジ切れられた孔部３９（図３−図８において共通）が形成されている。上述したように、イジェクタ６のカム部１８が、回路基板５とコネクタ本体３の基部１４との間の空隙部２１に配置されると、図３に示すように、回路基板５の挿通孔２５、コネクタ本体部３の基部１４の挿通孔２６、イジェクタ６の回動軸孔１６、及び略直方体のブロック８の孔３９それぞれは、貫通するように位置合わせされる。次いで、イジェクタ６の回動軸孔１６内に円筒スリーブ４０が配置される。さらに、ネジ２４が貫通孔に挿入されて、略直方体のブロック８の孔部３９内に螺合によって接続される。これにより、回路基板５及びコネクタ本体３の基部１４が固定される。
【００３１】
図１１は従来のパネル回路基板５１の部分拡大図であり、図１２は本発明のパネル回路基板１の部分拡大図である。
図１１では、２つの取り付けブロック５１１と５２５が設けられているのに対し、図１２では、単一ブロック８のみで構成され、図１１に示す取り付けブロック５１１が省略されている。図１２では、その省略されて空いたスペースを利用して、電気端子２が配列方向に多く確保されていることがわかる。
【００３２】
このようにして、本発明のパネル回路基板１に実装されるコネクタ部は、イジェクタ６の回動軸部（ネジ２４）をコネクタ本体３の基部１４の貫通孔に挿通させているので、従来に比べてイジェクタ６の取付部材の余分なスペースを省略し、部品点数を削減できる効果を奏するとともに、取付部材の省略されたスペースも、コネクタの端子数を多く確保する等の有効利用を図ることが可能になる。その結果、複雑な回路構成にも適用できるコネクタを提供することができる効果を奏する。
【００３３】
なお、イジェクタ６の回動軸孔１６及び回路基板５の貫通孔２５には、ネジ２４を挿通可能な円筒スリーブ４０が挿通されて回路基板５とコネクタ本体３の基部１４との間の空隙部２１にカム部１８の厚みより大きい空間を確保しているため、イジェクタ６は固定されずにネジ２４を軸として回動することができる。  
【実施例２】
【００３４】
実施例２では、枠体４、パネル７、略直方体のブロック８、ネジ１１及びネジ２４が導電性部材に限定される点が実施例１とは異なる。この場合、パネル回路基板１の組立完了時に、実施例１と同様に、図３を参照してわかるように、枠体４は、その前記爪部１５を介して、または、タブ３２を介して面接触によってパネル７と電気的に接続され、枠体４は、略直方体のブロック８とネジ１１を介して電気的に接続され、略直方体のブロック８は回路基板５の所定の配線とネジ２４（イジェクタの回動軸部）を通じて電気的に接続されることとなる。そして、ネジ２４のネジ頭が回路基板５の接地配線上で接触されていれば、枠体４は、回路基板５の接地配線に電気的に接続される。
【００３５】
その結果、図１で示したコネクタ部は、図示されていない相手方コネクタ部と嵌合すると、上述したように、対向方向に突出するように枠体４に形成された隆起部３７が、図示されていない相手方コネクタの枠体に接触するので、互いのコネクタの枠体同士が電気的に接続される。
【００３６】
よって、枠体４は、ユニット配線ラックのフレームアース、あるいは、相手方コネクタの接地された枠体と電気的に接触する構成とすることにより、電気的に安定したシールド効果を得ることができる。
【実施例３】
【００３７】
実施例３では、図３におけるパネル７及び略直方体のブロック８が非導電性又は導電性部材で一体的に成形等によって形成されている点で実施例１及び２とは異なる。図４は、実施例３の態様を示しており、図１に示すパネル回路基板１のイジェクタ側からの側面図である。図４では、パネル７及び略直方体のブロック８の一体的に形成された一体部分２８が斜線部で示されている。
図８は図４の斜線部２８に接続されるネジ１１及びネジ２４の螺合挿入された詳細な状態を示す拡大側面図である。
【００３８】
この実施例３でも、一体部分２８が導電性部材であれば、パネル回路基板１の組立完了時に、枠体４は、パネル７及び略直方体のブロック８が一体的に形成された一体部分２８と、枠体４の爪部（図示せず）を介して直接接続されることによって、または、タブ３２によって面接触することによって電気的に接続され、一体部分２８は、回路基板５の所定の配線とネジ２４（イジェクタの回動軸部）を通じて電気的に接触されることとなる。そして、ネジ２４のネジ頭が回路基板５の接地配線上で接触すると、枠体４は、回路基板５の接地配線に電気的に接続される。
【００３９】
そして、図１で示したコネクタ部は、図示されていない相手方コネクタ部と嵌合すると、上述したように、対向方向に突出するように枠体４に形成された隆起部３７が、相手方コネクタの枠体に接触するので、互いのコネクタの枠体同士が電気的に接続される。
【００４０】
よって、実施例３では、一体部分２８が導電性部材であれば、本発明のパネル回路基板に実装されるコネクタ部は、枠体４がユニット配線ラックのフレームアース、あるいは、相手方コネクタの接地された枠体と電気的に接触することにより、電気的に安定したシールド効果を得ることができる。
【実施例４】
【００４１】
実施例４では、実施例３の図４における一体部分２８が枠体４とさらに一体的に導電性部材で成形により形成されている。図５は、実施例４の態様を示しており、図１に示すパネル回路基板１のイジェクタ側からの側面図である。図５では、枠体４、パネル７及び略直方体のブロック８の一体的に形成された一体部分２７が斜線部で示されており、図４に示されたネジ１１は不要であるため示されていない。
図９は図５の斜線部２７に接続されるネジ２４の螺合挿入された詳細な状態を示す拡大側面図である。
【００４２】
この実施例４は、一体部分２７が導電性部材であれば、パネル回路基板１の組立完了時に、一体部分２７は、回路基板５の所定の配線とネジ２４（イジェクタの回動軸部）を通じて電気的に接触されることとなる。そして、ネジ２４のネジ頭が回路基板５の接地配線上で接触すると、一体部分２７は、回路基板５の接地配線に電気的に接続される。
【００４３】
そして、図１で示したコネクタ部は、図示されていない相手方コネクタ部と嵌合すると、上述したように、収容部１３を覆う枠体に相当する、一体部分２７における箇所に形成された隆起部３７が、相手方コネクタの枠体に接触するので、互いのコネクタの枠体同士が電気的に接続される。
【００４４】
よって、実施例４では、一体部分２７が導電性部材であれば、本発明のパネル回路基板に実装されるコネクタ部は、一体部分２７における枠体に相当する部分がユニット配線ラックのフレームアース、あるいは、相手方コネクタの接地された枠体と電気的に接触することにより、電気的に安定したシールド効果を得ることができる。
また、一体部分２７が導電性部材でなくても、略直方体のブロック８、パネル７、枠体のうち２つ、及び、ネジ１１が不要となるため、パネル回路基板１の組立部品数を削減できて組立構成が容易なコネクタを提供できる効果を得ることができる。
【実施例５】
【００４５】
実施例５では、図３における略直方体のブロック８とコネクタ本体３の基部１４とが樹脂等の非導電性部材によって一体的に成形により形成される点で実施例１と異なる。図６は実施例５の態様を示しており、図１に示すパネル回路基板１のイジェクタ６側からの側面図である。図６では、その一体的に成形により形成された一体部分２９が斜線部で示されている。  
【００４６】
図１０は、図６の斜線部２９に接続されるネジ１１及びネジ２４の螺合挿入された詳細な状態を示す拡大側面図である。
実施例５でも、実施例１と同様に、回路基板５は、一体部分２９の底面３６内にネジ切った孔３９にネジ２４で固定され、枠体４及びパネル７は、一体部分２９の側面内にネジ切った孔３１にネジ１１で固定されるので、一体部分２９は２箇所で各構成部品を固定する機能を有する。
【００４７】
よって、実施例５では、一体部分２９によってブロック部材８を省略できるので、パネル回路基板１の組立部品数を削減できて組立構成が容易なコネクタを提供できる効果を得ることができる。
【００４８】
（発明の効果）  
本発明の実施例１のパネル回路基板１に実装されるコネクタは、コネクタ本体３の基部１４と回路基板５とをイジェクタ６の回動軸部によって固定する構成としたので、規格化された小型回路基板の小スペースの縁部にコネクタ部を取付けることができ、その結果、コネクタの電気端子数を多く確保させる等の複雑な回路構成に適応できる効果を奏する。
【００４９】
実施例２のパネル回路基板１に実装されるコネクタは、実施例１の効果に加えて、枠体４、パネル７、略直方体のブロック８、ネジ１１及びネジ２４が導電性部材であるので、電気端子２を収容する収容部１３を覆う枠体４を回路配線の接地配線と電気的に接続でき、その結果、本発明のコネクタは、電気的に安定したシールド効果を奏する。
【００５０】
実施例３のパネル回路基板に実装されるコネクタは、実施例１及び実施例２の効果に加えて、パネル７と略直方体ブロック８とが導電性部材で一体成形されているので、パネル７又は略直方体ブロック８の何れか一方の部品数を削減できてパネル回路基板１の組立部品数を削減できて組立構成が容易なコネクタを提供できる効果を奏する。
【００５１】
実施例４のパネル基板に実装されるコネクタは、実施例１、実施例２、実施例３の効果に加えて、枠体４、パネル７及び略直方体ブロック８が一体成形されているので、枠体、パネル及び略直方体ブロックのうち２つ、及び、ネジ１１を削減できて、組立構成が容易なコネクタを提供できる効果を奏する。
【００５２】
実施例５のパネル回路基板に実装されるコネクタは、実施例１の効果に加えて、コネクタ本体３の基部１４と略直方体のブロック部８とが樹脂等の成形により一体的に形成されているので、略直方体のブロック８を削減できて組立構成が容易なコネクタを提供できる効果を奏する。
【００５３】
以上、実施例を挙げて本発明の実施の形態を説明したが、本発明は上記した実施例に限定されるものではなく、本発明の要旨の範囲で適宜、付加、変形等をなし得るものである。
【産業上の利用可能性】
【００５４】
ユニット配線ラックに基板の縁に沿って挿入される小型パネル回路基板の技術分野に適用できる。
【符号の説明】
【００５５】
１    パネル回路基板
２    電気端子
３    コネクタ本体
４    枠体
５    回路基板
６    イジェクタ
７    パネル
８    略直方体のブロック
１１  ネジ
１２  突起
１３  収容部
１４  基部
１５  爪部
１６  回動軸孔
１７  開口部
１８  カム部
１９  開口部
２０  回動つまみ    
２１  空間部
２２  突起
２４  ネジ
２５  回路基板の貫通孔
２６  基部の貫通孔
２７  一体部分
２８  一体部分
２９  一体部分
３０  面
３１  孔
３２  タブ
３３  タブの貫通孔
３４  パネルの貫通孔
３５  基部の貫通孔
３６  底面
３７  隆起部
３９  略直方体ブロックの孔
４０  円筒スリーブ
５１  従来技術によるパネル回路基板
５２  電気端子
５３  コネクタ本体部
５５  回路基板
５６  イジェクタ
５７  パネル
５８  開口部
５８’開口部
５９  開口部
５１１  取付部材
５１３  収容部
５１４  基部
５１８  枠体
５２０  ネジ
５２１  ネジ
５２３  回動軸孔
５２４  貫通孔
５２５  取付部材
５２６  貫通孔
５２９  カム部
【図１】
0005776029.tif 000002
【図２】
0005776029.tif 000003
【図３】
0005776029.tif 000004
【図４】
0005776029.tif 000005
【図５】
0005776029.tif 000006
【図６】
0005776029.tif 000007
【図７】
0005776029.tif 000008
【図８】
0005776029.tif 000009
【図９】
0005776029.tif 000010
【図１０】
0005776029.tif 000011
【図１１】
0005776029.tif 000012
【図１２】
0005776029.tif 000013
【図１３】
0005776029.tif 000014
【図１４】
0005776029.tif 000015